(57)【要約】      （修正有）【課題】隣り合うのれん杆が互いに交錯して絡み合うことを防ぐことができ、絡み合いによりのれん杆の進入開口揺動が不可能となることを未然に防ぐことができ、有害鳥類の捕獲効率を向上することができる有害鳥類捕獲器を提供する。【解決手段】各のれん杆４・・の上端部は吊下杆５に枢着可能な軸巻装部４ａに形成され、進入口部２の下辺部に阻止部材６を配設し、阻止部材に複数個の各のれん杆の下端部に係止してのれん杆の左右方向への横振れを止める複数個の振止溝部を形成してなる。【選択図】図１
0003188488.tif 000002
【実用新案登録請求の範囲】
【請求項１】
底面板、左側面板、上面板、右側面板、前面板及び後面板の六個の面板から構成される四角箱状のかご状本体を形成し、該かご状本体を構成するいずれか一個の面板又はいずれか二個以上の面板に有害鳥類の進入口部を形成し、該進入口部に棒材からなる複数個ののれん杆を吊下杆により並列状に垂設し、該複数個ののれん杆は垂下位置から該かご状本体の内方への進入開口揺動は許容され、一方、垂下位置から該かご状本体の外方への逃避開口揺動は阻止部材により阻止可能に設けられ、上記各のれん杆の上端部は上記吊下杆に枢着可能な軸巻装部に形成され、上記進入口部の下辺部に上記阻止部材を配設し、該阻止部材に該複数個の各のれん杆の下端部に係止して該のれん杆の左右方向への横振れを止める複数個の振止溝部を形成してなることを特徴とする有害鳥類捕獲器。
【請求項２】
上記底面板、左側面板、上面板、右側面板、前面板及び後面板の六個の面板から構成される四角箱状のかご状本体は全体として積重板状に折畳展開自在に設けられていることを特徴とする請求項１記載の有害鳥類捕獲器。
【考案の詳細な説明】
【技術分野】
【０００１】
本考案は人間の健康や生活に害を与えるドバト等の有害鳥類を捕獲する有害鳥類捕獲器に関するものである。
【背景技術】
【０００２】
従来、この種の有害鳥類捕獲器として、底面板、左側面板、上面板、右側面板、前面板及び後面板の六個の面板から構成される四角箱状のかご状本体を形成し、該かご状本体を構成するいずれか一個の面板又はいずれか二個以上の面板に有害鳥類の進入口部を形成し、該進入口部に棒材からなる複数個ののれん杆を吊下杆により並列状に垂設し、該複数個ののれん杆は垂下位置から該かご状本体の内方への進入開口揺動は許容され、一方、垂下位置から該かご状本体の外方への逃避開口揺動は阻止部材により阻止可能に設けられた構造のものが知られている。
【先行技術文献】
【特許文献】
【０００３】
【特許文献１】特公昭６１−９００９号
【特許文献２】特開２００３−９２９７３号
【特許文献３】実用新案登録第３０１０１６３号
【考案の概要】
【考案が解決しようとする課題】
【０００４】
しかしながら上記従来構造の場合、上記複数個ののれん杆は吊下杆により有害鳥類の逃避を防ぐ狭い寸法で並列状に定間隔で垂設されているから、隣り合うのれん杆が互いに交錯して絡み合う可能性があり、絡み合いによりのれん杆の進入開口揺動が不可能となり、有害鳥類の捕獲効率が低下するおそれがあるという不都合を有している。
【課題を解決するための手段】
【０００５】
本考案はこれらの不都合を解決することを目的とするもので、本考案のうちで、請求項１記載の考案は、底面板、左側面板、上面板、右側面板、前面板及び後面板の六個の面板から構成される四角箱状のかご状本体を形成し、該かご状本体を構成するいずれか一個の面板又はいずれか二個以上の面板に有害鳥類の進入口部を形成し、該進入口部に棒材からなる複数個ののれん杆を吊下杆により並列状に垂設し、該複数個ののれん杆は垂下位置から該かご状本体の内方への進入開口揺動は許容され、一方、垂下位置から該かご状本体の外方への逃避開口揺動は阻止部材により阻止可能に設けられ、上記各のれん杆の上端部は上記吊下杆に枢着可能な軸巻装部に形成され、上記進入口部の下辺部に上記阻止部材を配設し、該阻止部材に該複数個の各のれん杆の下端部に係止して該のれん杆の左右方向への横振れを止める複数個の振止溝部を形成してなることを特徴とする有害鳥類捕獲器にある。
【０００６】
又、請求項２記載の考案は、上記底面板、左側面板、上面板、右側面板、前面板及び後面板の六個の面板から構成される四角箱状のかご状本体は全体として積重板状に折畳展開自在に設けられていることを特徴とするものである。
【考案の効果】
【０００７】
本考案は上述の如く、請求項１記載の考案にあっては、例えば、おとり用の有害鳥類を入れたかご状本体をベランダや屋上に設置し、有害鳥類はかご状本体を構成するいずれか一個の面板又はいずれか二個以上の面板に形成された有害鳥類の進入口部からかご状本体内に進入することになり、進入口部には棒材からなる複数個ののれん杆が吊下杆により並列状に垂設され、進入しようとする有害鳥類は複数個ののれん杆を押し開きし、のれん杆は垂下位置からかご状本体の内方へ進入開口揺動され、のれん杆は垂下位置からかご状本体の外方への逃避開口揺動は阻止部材により阻止されているので、かご状本体内に進入した有害鳥類がかご状本体の内方から外方へと逃避しようとしてものれん杆により逃避することができず、有害鳥類をかご状本体内に捕獲することができ、この際、上記複数個の各のれん杆の上端部は上記吊下杆に枢着可能な棒材を螺旋状に巻装した軸巻装部に形成され、上記進入口部の下辺部に阻止部材が固定され、阻止部材に複数個の各のれん杆の下端部に係止してのれん杆の左右方向への横振れを止める複数個の振止溝部を形成しているから、隣り合うのれん杆が互いに交錯して絡み合うことを防ぐことができ、絡み合いによりのれん杆の進入開口揺動が不可能となることを未然に防ぐことができ、有害鳥類の捕獲効率を向上することができる。
【０００８】
又、請求項２記載の考案にあっては、上記底面板、左側面板、上面板、右側面板、前面板及び後面板の六個の面板から構成される四角箱状のかご状本体は全体として積重板状に折畳展開自在に設けられているから、かご状本体の折畳により保管時や運搬時における利便性を向上することができる。
【図面の簡単な説明】
【０００９】
【図１】本考案の実施の形態例の全体斜視図である。
【図２】本考案の実施の形態例の全体前面図である。
【図３】本考案の実施の形態例の全体側断面図である。
【図４】本考案の実施の形態例の部分斜視図である。
【図５】本考案の実施の形態例の部分拡大側断面図である。
【図６】本考案の実施の形態例の部分拡大平面図である。
【図７】本考案の実施の形態例の部分斜視図である。
【図８】本考案の実施の形態例の展開折畳状態の説明図である。
【考案を実施するための形態】
【００１０】
図１乃至図８は本考案の実施の形態例を示し、図１、図２、図３、図５の如く、１はかご状本体であって、この場合、それぞれ線材Ｗを網状に組んでなる底面板１ａ、左側面板１ｂ、上面板１ｃ、右側面板１ｄ、前面板１ｅ及び後面板１ｆの六個の面板から構成される四角箱状に形成され、かつ、上面板１ｃに取出口Ｄを形成すると共に取出口Ｄを閉塞可能な蓋板Ｅの一方辺部を上面板１ｃを構成する線材Ｗに蝶番材Ｂにより開閉自在に枢着し、蓋板Ｅの他方辺部を一方端部を上面板１ｃを構成する線材Ｗに止着したＳ状のフック杆Ｆの他方端部を蓋板Ｆを構成する線材Ｗに係脱自在に設けることにより取出口Ｄを開閉自在に設け、そして、この場合、かご状本体１を構成する前面板１ｅ及び後面板１ｆの二個の面板にそれぞれ有害鳥類の進入口部２・２を形成し、各進入口部２・２の左右辺部に同じく線材Ｗを網状に組んでなると共に内方端部を内方に向けて折曲形成した導入部３ａ・３ａを有する二個のガイド網板３・３を固着し、進入口部２・２に棒材からなる複数個ののれん杆４・・、この場合、七個ののれん杆４・・を吊下杆５により並列状に垂設し、この場合、進入口部２・２の上辺部に位置してかご状本体１に吊下杆５を取り付け、進入口部２・２の左右辺部に位置してかご状本体１に補強杆２ａ・２ａを固着し、この複数個ののれん杆４・・は垂下位置Ｔからかご状本体１の内方への進入開口揺動Ｓは許容され、一方、垂下位置Ｔからかご状本体１の外方への逃避開口揺動Ｋは阻止部材６により阻止可能に設けられている。
【００１１】
この場合、図４、図５、図６、図７の如く、上記複数個、この場合七個の各のれん杆４・・の上端部は上記吊下杆５に枢着可能な棒材を螺旋状に巻装した軸巻装部４ａに形成され、上記吊下杆５に複数個、この場合、七個ののれん杆４・・の軸巻装部４ａを順次挿通し、のれん杆４・・の軸巻装部４ａの間に間隔リング５ａを介装すると共に端部位置に間隔螺旋部５ｂを挿通し、上記進入口部２・２の下辺部に位置してかご状本体１に上記阻止部材６を固定し、阻止部材６に複数個の各のれん杆４・・の下端部に係止してのれん杆４・・の左右方向への横振れを止める複数個、この場合、七個の振止溝部６ａ・・を形成している。
【００１２】
又、この場合、上記底面板１ａ、左側面板１ｂ、上面板１ｃ、右側面板１ｄ、前面板１ｅ及び後面板１ｆの六個の面板のうち、互いに隣り合う底面板１ａと左側面板１ｂ、左側面板１ｂと上面板１ｃ、上面板１ｃと右側面板１ｄ、右側面板１ｄと底面板１ａとは、それぞれ複数個の蝶番材Ｂ・・により枢着連結され、かつ、前面板１ｅの上辺部と上面板１ｃの前辺部、後面板１ｆの上辺部と上面板１ｃの後辺部とは蝶番材Ｂ・・により枢着連結され、側面板１ｂの前部を構成する線材Ｗに左右上下二個ずつ計４個のＳ状のフック杆Ｓの一方端部を固着し、各フック杆Ｓの他方端部を前面板１ｅを構成する線材Ｗに係脱自在に設け、かつ、側面板１ｂの後部を構成する線材Ｗに左右上下二個ずつ計４個のＳ状のフック杆Ｓの一方端部を固着し、各フック杆Ｓの他方端部を後面板１ｆを構成する線材Ｗに係脱自在に設け、図８中、（ａ）、（ｂ）、（ｃ）、（ｄ）の如く、各Ｓ状のフック杆Ｓの係脱により（ａ）の展開状態から順次（ｄ）の板状の折畳状態へと折畳展開自在に構成されている。
【００１３】
この実施の形態例は上記構成であるから、例えば、おとり用の有害鳥類を入れたかご状本体１をベランダや屋上に設置し、有害鳥類は前面板１ｅ及び後面板１ｆの二個の面板にそれぞれ形成された有害鳥類の進入口部２・２からかご状本体１内に進入することになり、進入口部２・２には棒材からなる複数個ののれん杆４・・が吊下杆５により並列状に垂設され、進入しようとする有害鳥類は複数個ののれん杆４・・を押し開きし、のれん杆４・・は垂下位置Ｔからかご状本体１の内方へ進入開口揺動Ｓされ、のれん杆４・・は垂下位置Ｔからかご状本体１の外方への逃避開口揺動Ｋは阻止部材６により阻止されているので、かご状本体１内に進入した有害鳥類がかご状本体１の内方から外方へと逃避しようとしてものれん杆４・・により逃避することができず、有害鳥類をかご状本体１内に捕獲することができる。そして、捕獲した有害鳥類は蓋板Ｅを開閉して上面板１ｃに形成した取出口Ｄから取り出すことになる。
【００１４】
この際、上記複数個の各のれん杆４・・の上端部は上記吊下杆５に枢着可能な棒材を螺旋状に巻装した軸巻装部４ａに形成され、上記進入口部２・２の下辺部に阻止部材６が固定され、阻止部材６に複数個の各のれん杆４・・の下端部に係止してのれん杆４・・の左右方向への横振れを止める複数個の振止溝部６ａ・・を形成しているから、隣り合うのれん杆４・・が互いに交錯して絡み合うことを防ぐことができ、絡み合いによりのれん杆４・・の進入開口揺動Ｓが不可能となることを未然に防ぐことができ、有害鳥類の捕獲効率を向上することができる。
【００１５】
この場合、上記底面板１ａ、左側面板１ｂ、上面板１ｃ、右側面板１ｄ、前面板１ｅ及び後面板１ｆの六個の面板のうち、互いに隣り合う底面板１ａと左側面板１ｂ、左側面板１ｂと上面板１ｃ、上面板１ｃと右側面板１ｄは、それぞれ複数個の蝶番材Ｂ・・により枢着連結され、前面板１ｅの上辺部と上面板１ｃの前辺部、後面板１ｆの上辺部と上面板１ｃの後辺部とは蝶番材Ｂ・・により枢着連結され、側面板１ｂの前部を構成する線材Ｗに左右上下二個ずつ計４個のＳ状のフック杆Ｓの一方端部を固着し、各フック杆Ｓの他方端部を前面板１ｅを構成する線材Ｗに係脱自在に設け、かつ、側面板１ｂの後部を構成する線材Ｗに左右上下二個ずつ計４個のＳ状のフック杆Ｓの一方端部を固着し、各フック杆Ｓの他方端部を後面板１ｆを構成する線材Ｗに係脱自在に設けられ、図８中、（ａ）、（ｂ）、（ｃ）、（ｄ）の如く、各Ｓ状のフック杆Ｓの係脱により（ａ）の展開状態から順次（ｄ）の板状の折畳状態へと全体として積重板状に折畳展開自在に構成されているから、かご状本体１の折畳により保管時や運搬時における利便性を向上することができる。
【００１６】
尚、本考案は上記実施の形態例に限られるものではなく、かご状本体１、進入口部２、のれん杆４、軸巻装部４ａ、阻止部材６、振止溝部６ａの構造等は適宜変更して設計され、例えば、この実施の形態例においては、有害鳥類の進入口部２を前面板１ｅ及び後面板１ｆの二つの面板に形成しているが、左側面板１ｂ、右側面板１ｄ、前面板１ｅ及び後面板１ｆの四つの面板のうちの一つ、又は、三つ、四つの面板に進入口部２を形成することもある。
【００１７】
以上の如く、所期の目的を充分達成することができる。
【符号の説明】
【００１８】
Ｔ    垂下位置
Ｓ    進入開口揺動
Ｋ    逃避開口揺動
１    かご状本体
１ａ    底面板
１ｂ    左側面板
１ｃ    上面板
１ｄ    右側面板
１ｅ    前面板
１ｆ    後面板
２    進入口部
４    のれん杆
４ａ    軸巻装部
５    吊下杆
６    阻止部材
６ａ    振止溝部
【図１】
0003188488.tif 000003
【図２】
0003188488.tif 000004
【図３】
0003188488.tif 000005
【図４】
0003188488.tif 000006
【図５】
0003188488.tif 000007
【図６】
0003188488.tif 000008
【図７】
0003188488.tif 000009
【図８】
0003188488.tif 000010